【手続補正書】
【提出日】平成26年3月17日(2014.3.17)
【手続補正１】
【補正対象書類名】特許請求の範囲
【補正対象項目名】全文
【補正方法】変更
【補正の内容】
【特許請求の範囲】
【請求項１】
メタン、Ｃ２成分、Ｃ３成分、およびより重い炭化水素成分を含有するガスストリームを、揮発性の残留ガス留分と、前記Ｃ３成分およびより重い炭化水素成分の大部分を含有する比較的揮発性が低い留分へと分割するための方法であって、
（１）前記ガスストリームを第１熱交換手段において冷却し、
（２）前記冷却されたガスストリームを、より低い圧力へと膨張させ、それにより、さらに冷却し、
（３）前記膨張された、冷却されたガスストリームを、処理組立体に収容した吸収手段へと、底部フィードとして供給し、
（４）第１蒸留液ストリームを前記吸収手段の下方領域から収集し、前記処理組立体に収容した物質伝達手段に上部フィードとして供給し、
（５）第１蒸留蒸気ストリームを前記物質伝達手段の上方領域から収集し、第２熱交換手段において、十分に冷却し、前記第１蒸留蒸気ストリームの少なくとも一部を凝縮させ、
（６）前記少なくとも部分的に凝縮された第１蒸留蒸気ストリームを分離手段へと供給し、前記分離手段において分離し、それにより、凝縮されたストリームと、前記第１蒸留蒸気ストリームが冷却された後に残った凝縮されない全ての蒸気を含有する残留蒸気ストリームとを形成し、
（７）前記凝縮されたストリームの少なくとも一部を前記吸収手段に上部フィードとして供給し、
（８）第２蒸留蒸気ストリームを前記吸収手段の上方領域から収集し、前記第２熱交換手段において加熱することにより、前記ステップ（５）の冷却の少なくとも一部を供給し、
（９）前記加熱された第２蒸溜蒸気ストリームを、前記残留蒸気ストリームの全てと混合し、混合蒸気ストリームを形成し、
（１０）前記混合蒸気ストリームを前記第１熱交換手段において加熱し、それにより、前記ステップ（１）の冷却の少なくとも一部を供給し、次いで、前記加熱された混合蒸気ストリームを前記揮発性残留ガス留分として放出し、
（１１）第２蒸留液ストリームを前記物質伝達手段の下方領域から収集して前記処理組立体に収容された熱・物質伝達手段において加熱し、それにより、前記より揮発性が高い成分を前記第２蒸留液ストリームから同時に除去し、次いで、前記加熱および除去された第２蒸留液ストリームを、前記比較的揮発性が低い留分として前記処理組立体から放出し、
（１２）前記吸収手段への前記フィードストリームの量および温度は、前記吸収手段の前記上方領域の前記温度を、前記比較的揮発性が低い留分の成分の大部分が回収される温度に維持するのに効果的である、
方法。
【請求項２】
（ａ）前記ガスストリームを十分に冷却して前記第１熱交換手段において部分的に凝縮し、
（ｂ）前記部分的に凝縮したガスストリームをさらなる分離手段に供給し、その中で分離させて蒸気ストリームおよび少なくとも１つの液体ストリームを提供し、
（ｃ）前記蒸気ストリームをより低圧に膨張させることによりさらに冷却し、
（ｄ）前記膨張させ冷却した蒸気ストリームを前記底部フィードとして前記吸収手段に供給し、
（ｅ）前記少なくとも１つの液体ストリームを前記より低圧に膨張させ、
（ｆ）前記膨張させた少なくとも１つの液体ストリームを前記第１熱交換手段において加熱することにより、前記ステップ（ａ）の冷却の少なくとも一部を供給し、その後、前記物質伝達手段に底部フィードとして、前記加熱し膨張させた少なくとも１つの液体ストリームを供給する、
請求項１に記載の方法。
【請求項３】
（ａ）前記第１蒸留液ストリームを、前記吸収手段の前記下方領域から収集し、前記第２熱交換手段において加熱し、その後、前記加熱した第１蒸留液ストリームと共に、前記上部フィードとして前記物質伝達手段に供給し、
（ｂ）前記第１蒸溜蒸気ストリームを、前記物質伝達手段の上方領域から収集し、十分に冷却して前記第２熱交換手段において少なくとも一部を凝縮することにより、前記ステップ（ａ）の加熱の少なくとも一部を供給する、
請求項１に記載の方法。
【請求項４】
（ｉ）前記ガスストリームを十分に冷却して、前記第１熱交換手段において部分的に凝縮し、
（ｉｉ）前記部分的に凝縮したガスストリームを、さらなる分離手段に供給してその中で分離し、蒸気ストリームおよび少なくとも１つの液体ストリームを提供し、
（ｉｉｉ）前記蒸気ストリームをより低圧に膨張させることによりさらに冷却し、
（ｉｖ）前記膨張させ冷却した蒸気ストリームを、前記底部フィードとして前記吸収手段に供給し、
（ｖ）前記少なくとも１つの液体ストリームを、前記より低圧に膨張させ、
（ｖｉ）前記膨張させた少なくとも１つの液体ストリームを、前記第１熱交換手段において加熱することにより、前記ステップ（ｉ）の冷却の少なくとも一部を供給し、その後、前記加熱し膨張させた少なくとも１つの液体ストリームを、底部フィードとして前記物質伝達手段に供給する、
請求項３に記載の方法。
【請求項５】
（ａ）前記ガスストリームを第１熱交換手段において部分的に冷却し、
（ｂ）前記部分的に冷却されたガスストリームを第１部分および第２部分へと分割し、
（ｃ）前記第１部分をさらなる分離手段に収容されたさらなる熱・物質伝達手段においてさらに冷却し、それにより、前記第１部分からより揮発性が低い成分のすべてを同時に凝縮させ、
（ｄ）前記第２部分を前記第１熱交換手段においてさらに冷却し、
（ｅ）前記さらに冷却された第１部分および前記さらに冷却された第２部分を混合して前記冷却されたガスストリームを形成し、
（ｆ）前記第１蒸留液ストリームを前記吸収手段の下方領域から収集して前記さらなる熱・物質伝達手段において加熱することにより、前記ステップ（ｃ）の冷却の少なくとも一部を供給し、次いで、前記加熱された第１蒸留液ストリームを、前記物質伝達手段へと、前記上部フィードとして供給し、
（ｇ）前記混合蒸気ストリームを前記第１熱交換手段において加熱し、それにより、前記ステップ（a）およびステップ（d）の冷却の少なくとも一部を供給し、次いで、前記加熱された混合蒸気ストリームを前記揮発性残留ガス留分として放出する、
請求項１に記載の方法。
【請求項６】
（ａ）前記さらに冷却された第２部分を前記さらなる分離手段へと導き、その結果、前記第１部分をさらに冷却するにつれて、かつ前記第２部分をさらに冷却するにつれて、凝縮された液体の全てが混合され、少なくとも１つの液体ストリームを形成し、前記さらに冷却された第１部分および前記さらに冷却された第２部分の残りが蒸気ストリームを形成し、
（ｂ）前記蒸気ストリームをより低い圧力へと膨張させ、それにより、さらに冷却し、
（ｃ）前記膨張させ冷却した蒸気ストリームを、処理組立体に収容した吸収手段へと、前記底部フィードとして供給し、
（ｄ）前記少なくとも１つの液体ストリームを、前記より低い圧力へと膨張させ、
（ｅ）前記膨張させた少なくとも１つの液体ストリームを、前記第１熱交換手段において加熱し、それにより、前記ステップ（１）の部分的な冷却の少なくとも一部を供給し、次いで、前記加熱し膨張させた少なくとも１つの液体ストリームは前記物質伝達手段へと底部フィードとして供給する、
請求項５に記載の方法。
【請求項７】
（ｉ）前記第１部分を第３の熱交換手段においてさらに冷却し、
（ｉｉ）前記第１蒸留液ストリームを、前記吸収手段の前記下方領域から収集し、前記第３の熱交換手段において加熱することにより、前記ステップ（ｉ）の冷却の少なくとも一部を供給し、その後、前記加熱された第１蒸留液ストリームを前記物質伝達手段に前記上部フィードとして供給する、
請求項５に記載の方法。
【請求項８】
（ａ）前記さらに冷却された第１部分および前記さらに冷却された第２部分を混合して部分的に凝縮されたガスストリームを形成し、
（ｂ）前記部分的に凝縮されたガスストリームを前記さらなる分離手段へと供給して前記さらなる分離手段において分離し、その結果、蒸気ストリームと少なくとも１つの液体ストリームとを提供し、
（ｃ）前記蒸気ストリームをより低い圧力へと膨張させ、それにより、さらに冷却し、
（ｄ）前記膨張させ冷却された蒸気ストリームを、前記吸収手段へと、前記底部フィードとして供給し、
（ｅ）前記少なくとも１つの液体ストリームを、前記より低い圧力へと膨張させ、
（ｆ）前記膨張された少なくとも１つの液体ストリームを、前記第１熱交換手段において加熱し、それにより、前記ステップ（１）の部分的な冷却の少なくとも一部を供給し、次いで、前記加熱され膨張させた少なくとも１つの液体ストリームを前記物質伝達手段へと底部フィードとして供給する、
請求項７に記載の方法。
【請求項９】
前記さらなる分離手段を、前記処理組立体に収容する、請求項２、４、５、６、または８に記載の方法。
【請求項１０】
（１）前記加熱した第１蒸留液ストリームを、中間フィード位置において前記物質伝達手段に供給し、
（２）前記凝縮したストリームを、少なくとも第１還流ストリームおよび第２還流ストリームに分割し、
（３）前記第１還流ストリームを、前記上部フィードとして前記吸収手段に供給し、
（４）前記第２還流ストリームを、前記上部フィードとして前記物質伝達手段に供給する、
請求項３、４、５、６、７、８、１０、１１に記載の方法。
【請求項１１】
（１）ガス収集手段を前記処理組立体に収容し、
（２）追加的熱・物質伝達手段を前記ガス収集手段内に備え、前記追加的熱・物質伝達手段が、外部冷媒用の、１つまたは複数の経路を備え、
（３）前記冷却されたガスストリームを前記ガス収集手段へと供給し、前記追加的な熱・物質伝達手段へと導き、前記外部冷媒によりさらに冷却し、
（４）前記さらに冷却されたガスストリームを前記より低い圧力へと膨張させ、次いで、前記吸収手段へと前記底部フィードとして供給する、
請求項１、３、７、または１０に記載の方法。
【請求項１２】
（１）追加的熱・物質伝達手段を、前記さらなる分離手段内に備え、前記追加的熱・物質伝達手段が、外部冷媒用の１つまたは複数の経路を備え、
（２）前記蒸気ストリームを前記追加的熱・物質伝達手段へと導き、前記外部冷媒により冷却して追加的凝縮水が形成し、
（３）前記凝縮水が、前記さらなる分離手段内で分離された前記少なくとも１つの液体ストリームの一部となる、
請求項２、４、８、９、または１０に記載の方法。
【請求項１３】
メタン、Ｃ２成分、Ｃ３成分、およびより重い炭化水素成分を含有するガスストリームを、揮発性の残留ガス留分と、前記Ｃ３成分およびより重い炭化水素成分の大部分を含有する比較的揮発性が低い留分へと分割するための装置であって、
（１）前記ガスストリームを冷却するための第１熱交換手段と、
（２）前記冷却されたガスストリームを受容し前記冷却されたガスストリームをより低い圧力へと膨張させるための、前記第１熱交換手段に接続された膨張手段と、
（３）前記膨張され冷却されたガスストリームを、吸収手段への底部フィードとして受容するための、処理組立体に収容され且つ前記膨張手段に接続された前記吸収手段と、
（４）第１蒸留液ストリームを前記吸収手段の下方領域から受容するための、前記処理組立体に収容され且つ前記吸収手段に接続された第１液体収集手段と、
（５）前記第１蒸留液ストリームを物質伝達手段への上部フィードとして受容するための、前記処理組立体に収容され且つ前記第１液体収集手段に接続された前記物質伝達手段と、
（６）前記物質伝達手段の上方領域から第１蒸留蒸気ストリームを受容するための、前記処理組立体に収容され且つ前記物質伝達手段に接続された第１蒸気収集手段と、
（７）前記第１蒸留蒸気ストリームを受容し、前記第１蒸留蒸気ストリームを十分に冷却して、前記第１蒸留蒸気ストリームの少なくとも一部を凝縮するための、前記第１蒸気収集手段に接続された第２熱交換手段と、
（８）前記少なくとも部分的に凝縮された第１蒸留蒸気ストリームを受容し、前記少なくとも部分的に凝縮された第１蒸留蒸気ストリームを、凝縮されたストリームと、前記第１蒸留蒸気ストリームが冷却された後に残った凝縮されない蒸気の全てを含有する残留蒸気ストリームとに分離するための、前記第２熱交換手段に接続された分離手段と、
（９）前記凝縮されたストリームの少なくとも一部を前記吸収手段への上部フィードとして受容するための、前記分離手段にさらに接続された前記吸収手段と、
（１０）前記吸収手段の上方領域から第２蒸留蒸気ストリームを受容するための、前記処理組立体に収容され且つ前記吸収手段に接続された第２蒸気収集手段と、
（１１）前記第２蒸留蒸気ストリームを受容し、加熱することにより、前記ステップ（７）の冷却の少なくとも一部を供給するための、前記第２蒸気収集手段にさらに接続された前記第２熱交換手段と、
（１２）前記加熱された第２蒸留蒸気ストリームと、前記残留蒸気ストリームの全てとを受容して混合蒸気ストリームを形成するための、前記第２熱交換手段および前記分離手段に接続された混合手段と、
（１３）前記混合蒸気ストリームを受容し加熱することにより、前記ステップ（１）の冷却の少なくとも一部を供給し、次いで、前記加熱された混合蒸気ストリームを、前記揮発性残留ガス留分として放出するための、前記混合手段にさらに接続された前記第１熱交換手段と、
（１４）第２蒸留液ストリームを前記物質伝達手段の下方領域から受容するための、前記処理組立体に収容され且つ前記物質伝達手段に接続された第２液体収集手段と、
（１５）前記第２蒸留液ストリームを受容し加熱することにより、前記より揮発性が高い成分を前記第２蒸留液ストリームから同時に除去し、次いで、前記加熱および除去された第２蒸留液ストリームを、前記処理組立体から前記比較的揮発性が低い留分として放出するための、前記処理組立体に収容され且つ前記第２液体収集手段に接続された熱・物質伝達手段と、
（１６）前記吸収手段の前記上方領域の前記温度を、前記比較的揮発性が低い留分の成分の大部分が回収される温度に維持するための、前記吸収手段への前記フィードストリームの量および温度を調節するよう構成された制御手段と
を備える装置。
【請求項１４】
（ａ）前記第１熱交換手段を、前記ガスストリームを十分に冷却して部分的に凝縮するように構成し、
（ｂ）さらなる分離手段を、前記第１熱交換手段に接続し、前記部分的に凝縮したガスストリームを受容し、蒸気ストリームおよび少なくとも１つの液体ストリームに分離し、
（ｃ）前記膨張手段を、前記さらなる分離手段に接続し、前記蒸気ストリームを受容し、より低圧に膨張させることによりさらに冷却し、
（ｄ）前記吸収手段を、前記膨張手段に接続し、前記底部フィードとして前記膨張させ冷却した蒸気ストリームに受容し、
（ｅ）さらなる膨張手段を、前記さらなる分離手段に接続し、前記少なくとも１つの液体ストリームを受容し、前記より低圧に膨張させ、
（ｆ）前記第１熱交換手段を、前記さらなる膨張手段にさらに接続し、前記膨張させた少なくとも１つの液体ストリームを受容しこれを加熱することにより、前記ステップ（ａ）の冷却の少なくとも一部を供給し、前記第１熱交換手段をさらに前記物質伝達手段に接続して前記底部フィードとして前記加熱し膨張させた少なくとも１つの液体ストリームを供給する、
請求項１３に記載の装置。
【請求項１５】
（ａ）前記第２熱交換手段を、前記第１液体収集手段にさらに接続し、前記第１蒸留液ストリームを受容しこれを加熱することにより、前記第１蒸溜蒸気ストリームの前記冷却の少なくとも一部を供給し、
（ｂ）前記物質伝達手段を、前記第２熱交換手段に接続し、前記上部フィードとして前記加熱した第１蒸留液ストリームを受容し、
（ｃ）前記第２熱交換手段を、前記第１蒸気収集手段にさらに接続し、前記第１蒸溜蒸気ストリームを受容し、十分に冷却して少なくとも一部を凝縮することにより、前記ステップ（ａ）の加熱の少なくとも一部を供給する、
請求項１３に記載の装置。
【請求項１６】
（ｉ）前記第１熱交換手段を、前記ガスストリームを十分に冷却して部分的に凝縮させるように構成し、
（ｉｉ）さらなる分離手段を、前記第１熱交換手段に接続して、前記部分的に凝縮したガスストリームを受容し、蒸気ストリームおよび少なくとも１つの液体ストリームに分離し、
（ｉｉｉ）前記膨張手段を、前記さらなる分離手段に接続し、前記蒸気ストリームを受容し、より低圧に膨張させることによりさらに冷却し、
（ｉｖ）前記吸収手段を、前記膨張手段に接続し、前記底部フィードとして前記膨張させ冷却した蒸気ストリームを受容し、
（ｖ）さらなる膨張手段を、前記さらなる分離手段に接続し、前記少なくとも１つの液体ストリームを受容し、前記より低圧に膨張させ、
（ｖｉ）前記第１熱交換手段を、前記さらなる膨張手段にさらに接続し、前記膨張させた少なくとも１つの液体ストリームを受容し、これを加熱することにより、前記ステップ（ｉ）の冷却の少なくとも一部を供給し、前記第１熱交換手段を、前記物質伝達手段をさらに接続し、底部フィードとして前記加熱し膨張させた少なくとも１つの液体ストリームを供給する、
請求項１５に記載の装置。
【請求項１７】
（ａ）前記第１熱交換手段を、前記ガスストリームを部分的に冷却するように構成し、
（ｂ）分割手段を、前記部分的に冷却されたガスストリームを受容し、前記部分的に冷却されたガスストリームを第１部分および第２部分に分割するために前記第１熱交換手段に接続し、
（ｃ）さらなる熱・物質伝達手段を、さらなる分離手段に収容し、かつ、さらなる分離手段に接続し、前記分割手段に接続して前記第１部分を受容し、さらに冷却することにより、同時に、前記第１部分からのより揮発性が低い成分の全てを同時に凝縮し、
（ｄ）前記第１熱交換手段を、前記第２部分を受容してさらに冷却するため、前記分割手段にさらに接続し、
（ｅ）さらなる混合手段を、前記さらに冷却された第１部分および前記さらに冷却された第２部分を受容して冷却されたガスストリームを形成するため、前記さらなる熱・物質伝達手段および前記第１熱交換手段に接続し、
（ｆ）前記膨張手段を、前記冷却されたガスストリームを受容し前記冷却されたガスストリームをより低い圧力へと膨張させるための、前記さらなる混合手段に接続し、
（ｇ）前記さらなる熱・物質伝達手段を、前記第１液体収集手段にさらに接続し、前記第１蒸留液ストリームを受容しこれを加熱することにより、前記ステップ（ｃ）の冷却の少なくとも一部を供給し、
（ｈ）前記物質伝達手段を、前記さらなる熱・物質伝達手段に接続し、前記上部フィードとして前記加熱した第１蒸留液ストリームを受容し、
（ｉ）前記第１熱交換手段を、前記混合蒸気ストリームを受容し加熱することにより、前記ステップ（ａ）およびステップ（ｄ）の冷却の少なくとも一部を供給し、次いで、前記加熱された混合蒸気ストリームを、前記揮発性残留ガス留分として放出するため、前記混合手段にさらに接続する、
請求項１３に記載の装置。
【請求項１８】
（ａ）前記さらに冷却された第２部分を受容することにより、前記第１部分がさらに冷却されるにつれて、前記第２部分がさらに冷却されるにつれて、凝縮された液体の全てが混合され、少なくとも１つの液体ストリームを形成し、前記さらに冷却された第１部分および前記さらに冷却された第２部分の残りが蒸気ストリームを形成することとなるように、前記さらなる分離手段を前記第１熱交換手段にさらに接続し、
（ｂ）前記蒸気ストリームを受容し、前記蒸気ストリームをより低い圧力へと膨張させることにより、前記蒸気ストリームをさらに冷却するため、前記膨張手段を前記さらなる分離手段に接続し、
（ｃ）前記膨張され冷却された蒸気ストリームを吸収手段への底部フィードとして受容するため、前記吸収手段を、前記膨張手段に接続し、
（ｄ）前記少なくとも１つの液体ストリームを受容し、前記少なくとも１つの液体ストリームをより低い圧力へと膨張させるため、さらなる膨張手段を前記さらなる分離手段に接続し、
（ｅ）前記第１熱交換手段を、前記さらなる膨張手段に接続し、前記膨張した少なくとも１つの液体ストリームを受容してこれを加熱することにより、前記ステップ（１）の部分的な冷却の少なくとも一部を供給し、前記第１熱交換手段を、前記物質伝達手段にさらに接続し、底部フィードとして前記加熱し膨張させた少なくとも１つの液体ストリームを供給する、
請求項１７に記載の装置。
【請求項１９】
（ｉ）第３の熱交換手段を、前記分割手段に接続し、前記第１第１部分を受容し、さらに冷却し、
（ｉｉ）前記さらなる合流手段を、前記第３の熱交換手段および前記第１熱交換手段に接続し、前記さらに冷却した第１部分および前記さらに冷却した第２部分を受容し、前記冷却したガスストリームを形成し、
（ｉｉｉ）前記第３の熱交換手段を前記第１液体収集手段にさらに接続し、前記第１蒸留液ストリームを受容し、これを加熱することにより前記ステップ（ｉ）の冷却の少なくとも一部を供給し、
（ｉｖ）前記物質伝達手段を、前記第３の熱交換手段に接続し、前記上部フィードとして前記加熱した第１蒸留液ストリームを受容する、
請求項１７に記載の装置。
【請求項２０】
（ａ）前記さらなる合流手段を、前記さらに冷却した第１部分および前記さらに冷却した第２部分に受容し、部分的に凝縮したガスストリームを形成するように構成し、
（ｂ）前記さらなる分離手段を、前記さらなる合流手段に接続し、前記部分的に凝縮したガスストリームを受容し、蒸気ストリームおよび少なくとも１つの液体ストリームに分離し、
（ｃ）前記膨張手段を、前記さらなる分離手段に接続し、前記蒸気ストリームを受容し、より低圧に膨張させることによりさらに冷却し、
（ｄ）前記吸収手段を、前記膨張手段に接続し、前記底部フィードとして前記膨張させ冷却した蒸気ストリームを受容し、
（ｅ）さらなる膨張手段を、前記さらなる分離手段に接続し、前記少なくとも１つの液体ストリームを受容し、前記より低圧に膨張させ、
（ｆ）前記第１熱交換手段を、前記さらなる膨張手段にさらに接続し、前記膨張させた少なくとも１つの液体ストリームを受容し、加熱することにより、前記ステップ（１）の部分的な冷却の少なくとも一部を供給し、前記第１熱交換手段を、前記物質伝達手段にさらに接続して、底部フィードとして前記加熱し膨張させた少なくとも１つの液体ストリームを供給する、
請求項１９に記載の装置。
【請求項２１】
前記さらなる分離手段を、前記処理組立体に収容する、請求項１４、１６、１７、１８、または２０に記載の装置。
【請求項２２】
（１）前記物質伝達手段を、前記第２熱交換手段に接続し、中間フィード位置において前記加熱した第１蒸留液ストリームを受容するように構成し、
（２）分割手段を、前記分離手段に接続し、前記凝縮したストリームを受容し、少なくとも第１還流ストリームおよび第２還流ストリームに分割し、
（３）前記吸収手段を、前記分割手段に接続し、前記上部フィードとして前記第１還流ストリームを受容するように構成し、
（４）前記物質伝達手段を、前記分割手段に接続し、前記上部フィードとして前記第２還流ストリームを受容するように構成する、
請求項１５、１６、または２１に記載の装置。
【請求項２３】
（１）前記物質伝達手段を、前記第３の熱交換手段に接続し、中間フィード位置において前記加熱した第１蒸留液ストリームを受容するように構成し、
（２）追加的な分割手段を、前記分離手段に接続し、前記凝縮したストリームを受容し、少なくとも第１還流ストリームおよび第２還流ストリームに分割し、
（３）前記吸収手段を、前記追加的な分割手段に接続し、前記上部フィードとして前記第１還流ストリームを受容するように構成し、
（４）前記物質伝達手段を、前記追加的な分割手段に接続し、前記上部フィードとして前記第２還流ストリームを受容するように構成する、
請求項１９、２０、または２１に記載の装置。
【請求項２４】
（１）前記物質伝達手段を、前記さらなる熱・物質伝達手段に接続し、中間フィード位置において前記加熱した第１蒸留液ストリームを受容するように構成し、
（２）追加的な分割手段を、前記分離手段に接続し、前記凝縮したストリームを受容し、少なくとも第１還流ストリームおよび第２還流ストリームに分割し、
（３）前記吸収手段を、前記追加的な分割手段に接続し、前記上部フィードとして前記第１還流ストリームを受容するように構成し、
（４）前記物質伝達手段を、前記追加的な分割手段に接続し、前記上部フィードとして前記第２還流ストリームを受容するように構成する、
請求項１７、１８、または２１に記載の装置。
【請求項２５】
（１）ガス収集手段を、前記処理組立体に収容し、
（２）追加的な熱・物質伝達手段を前記ガス収集手段内部に備え、前記追加的な熱・物質伝達手段が、外部冷媒用の１つまたは複数の経路を備え、
（３）前記ガス収集手段を、前記第１熱交換手段に接続し、前記冷却したガスストリームを受容し、前記追加的な熱・物質伝達手段に導き、前記外部冷媒によりさらに冷却し、
（４）前記膨張手段を、前記ガス収集手段に接続し、前記さらに冷却したガスストリームを受容し、前記より低圧に膨張させるように構成し、前記膨張手段が、前記吸収手段にさらに接続し、前記膨張させさらに冷却したガスストリームを、前記底部フィードとして供給する、
請求項１３、１５、または２２に記載の装置。
【請求項２６】
（１）ガス収集手段を、前記処理組立体に収容し、
（２）追加的な熱・物質伝達手段を前記ガス収集手段内部に備え、前記追加的な熱・物質伝達手段が、外部冷媒用の１つまたは複数の経路を備え、
（３）前記ガス収集手段を、前記さらなる合流手段に接続し、前記冷却したガスストリームを受容し、前記追加的な熱・物質伝達手段に導き、前記外部冷媒によりさらに冷却し、
（４）前記膨張手段を、前記ガス収集手段に接続し、前記さらに冷却したガスストリームを受容し、前記より低圧に膨張させるように構成し、前記膨張手段を、前記吸収手段にさらに接続し、前記底部フィードとして、前記膨張させさらに冷却したガスストリームを供給する、
請求項１９または２３に記載の装置。
【請求項２７】
（１）追加的な熱・物質伝達手段を、前記さらなる分離手段内部に備え、前記追加的な熱・物質伝達手段が外部冷媒用の１つまたは複数の経路を備え、
（２）前記蒸気ストリームを、前記追加的な熱・物質伝達手段に導き、前記外部冷媒により冷却して追加的な凝縮液を形成し、
（３）前記凝縮液が、その中で分離した前記少なくとも１つの液体ストリームの一部となる、
請求項１４、１６、２０、２１、２３、または２４に記載の装置。